(57)【要約】【課題】バッテリを搭載するスペースを工夫して小型軽量化を図る。【解決手段】円筒状のカプセル本体２を備え、該カプセル本体２の内面に沿ってシート状のバッテリ４が配置されているカプセル型医療装置１を提供する。【選択図】      図２
2007181516.tif 000002
【特許請求の範囲】
【請求項１】
円筒状のカプセル本体を備え、
該カプセル本体の内面に沿ってシート状のバッテリが配置されているカプセル型医療装置。
【請求項２】
円筒状のカプセル本体を備え、
該カプセル本体が、シート状のバッテリからなるカプセル型医療装置。
【請求項３】
円筒状のカプセル本体と、該カプセル本体の両端に設けられた半球状の端部とを備え、
該半球状の端部の内部空間に、シート状のバッテリを折り畳んだ状態に配置してなるカプセル型医療装置。
【発明の詳細な説明】
【技術分野】
【０００１】
この発明は、カプセル型医療装置に関するものである。
【背景技術】
【０００２】
従来、カプセル型医療装置が知られている（例えば、特許文献１参照。）。
このカプセル型医療装置は、内部に種々の機器を備えるとともに、これらの機器を駆動するボタン電池からなるバッテリを備えている。
【特許文献１】特表２００４−５３３８７９号公報
【発明の開示】
【発明が解決しようとする課題】
【０００３】
しかしながら、ボタン電池は、金属製ケース内に正極および負極物質と電解液とを封入してなる構造のもので、交換時の取扱い性を良好にするとともに堅牢な構造を採用しているため、比較的重量が重く、また、外形寸法が大きくなるという問題がある。このため、カプセル型医療装置の動力源としてボタン電池を使用する場合には、ボタン電池の外形寸法によってカプセルの大きさが制限されてしまい、小型軽量化を図ることが困難であった。
【０００４】
本発明は上述した事情に鑑みてなされたものであって、バッテリを搭載するスペースを工夫して小型軽量化を図ることが可能なカプセル型医療装置を提供することを目的としている。
【課題を解決するための手段】
【０００５】
上記目的を達成するために、本発明は以下の手段を提供する。
本発明は、円筒状のカプセル本体を備え、該カプセル本体の内面に沿ってシート状のバッテリが配置されているカプセル型医療装置を提供する。
本発明によれば、シート状のバッテリ、例えば、リチウムポリマーセルバッテリを円筒状に丸め、円筒状のカプセル本体の内面に沿うように配置しているので、従来のボタン電池を使用する場合と比較すると、カプセル本体の長手方向に沿うバッテリの収容スペースを削減して全長を短く構成することが可能となる。また、シート状のバッテリによれば、ボタン電池のような金属製ケースを有しないので、カプセル型医療装置の軽量化を図ることができる。
【０００６】
また、本発明は、円筒状のカプセル本体を備え、該カプセル本体が、シート状のバッテリからなるカプセル型医療装置を提供する。
本発明によれば、カプセル本体をシート状のバッテリにより構成しているので、従来必要であったバッテリの収容スペースを削減し、長手方向の小型化を図ることができる。また、ボタン電池のようなバッテリの外径寸法に制約されることなく、カプセル本体の内部に収容する部品の大きさにより決定される最小限の外径寸法を達成することができる。
【０００７】
また、本発明は、円筒状のカプセル本体と、該カプセル本体の両端に設けられた半球状の端部とを備え、該半球状の端部の内部空間に、シート状のバッテリを折り畳んだ状態に配置してなるカプセル型医療装置を提供する。
本発明によれば、従来デッドスペースとして空間が設けられていた半球状の端部の内部空間を有効利用してシート状のバッテリを折り畳んで配置することで、バッテリの収容スペースを確保し、カプセル型医療装置全体の小型軽量化を図ることが可能となる。
【発明の効果】
【０００８】
本発明によれば、バッテリを搭載するスペースを工夫して小型軽量化を図ることができるという効果を奏する。
【発明を実施するための最良の形態】
【０００９】
本発明の第１の実施形態に係るカプセル型医療装置１について、図１および図２を参照して以下に説明する。
本実施形態に係るカプセル型医療装置１は、カプセル型内視鏡であって、図１に示されるように、一端を半球面により閉塞された円筒状のカプセル本体２と、該カプセル本体２内に収容される回路ユニット３と、バッテリ４と、これら回路ユニット３およびバッテリ４が収容された状態でカプセル本体２の開口を閉塞するように固定される半球体状の先端キャップ５とを備えている。
【００１０】
前記回路ユニット３は、例えば、図示しないフレキシブル基板により接続された円形の２以上の基板６ａ，６ｂを折り畳んで円柱状に構成したもので、前記先端キャップ５に対向する基板６ａに配置されたＬＥＤのような照明装置７と、検査対象からの戻り光を集める対物光学系８、図示しない撮像装置、その制御装置、記憶装置、起動用スイッチおよび取得した画像情報等のデータの送受信を行う無線送受信装置９（図２参照）等を備えている。回路ユニット３の後端側に配される基板６ｂには後述するバッテリ４の外部端子４ａを接合するためのランド（図示略）が、例えば、金メッキパターン等により設けられている。なお、前記先端キャップ５は透明な材質により構成されている。
【００１１】
本実施形態においては、バッテリ４が、リチウムポリマーセルバッテリにより構成されている。リチウムポリマーセルバッテリは柔軟なシート状に形成され、電力を取り出すための２カ所の外部端子４ａを備えている。本実施形態においては、図１に示されるように、カプセル本体２の内径寸法よりも若干小さい外径寸法を有し、前記回路ユニット３の外径寸法よりも若干大きい内径寸法を有するように円筒状に丸めた形態に形成されている。
【００１２】
このように構成された本実施形態に係るカプセル型医療装置１の組立方法について、図２を参照して説明する。
本実施形態に係るカプセル型医療装置１を組み立てるには、まず、図１および図２（ａ）のようにカプセル本体２、回路ユニット３、バッテリ４および先端キャップ５を用意し、図２（ｂ）に示されるように、先端キャップ５の内側に設けた嵌合部５ａに前記回路ユニット３の先端側の基板６ａを嵌合させ、両者の接触部Ａを接着剤により接着する。
【００１３】
次いで、図２（ｃ）に示されるように、円筒状に丸めたバッテリ４を回路ユニット３の周囲に嵌め込むように配置する。このとき、バッテリ４の後端と回路ユニット３の後端とがほぼ一致する位置に配置されるので、図２（ｄ）に示されるように、バッテリ４に設けられた外部端子４ａを折り曲げて、回路ユニット３の基板６ｂに設けられたランドにハンダ付け等により接合する。
【００１４】
その後、図２（ｅ）に示されるように、バッテリ４の外周を取り囲むようにカプセル本体２を嵌め込んで、先端キャップ５の嵌合部５ｂに嵌合穴２ａを嵌合させ接触部Ｂを接着剤により接着する。これにより、本実施形態に係るカプセル型医療装置１が構成される。
【００１５】
このように、本実施形態に係るカプセル型医療装置１は、リチウムポリマーセルバッテリ４をカプセル本体２の内面に沿うように円筒状に形成しているので、従来、軸方向に配置していたボタン電池の収容スペースが不要となり、その分、カプセル型医療装置１の全長を短縮することができる。
【００１６】
また、ボタン電池の外径寸法により制約されていたカプセル型医療装置１の外径寸法は、円筒状に配置するリチウムポリマーセルバッテリ４の外径寸法を調節することで比較的自由に設計することができる。したがって、対物光学系８や照明装置７等の設置に必要な最小限の大きさの基板６ａ外径を採用することが可能となり、カプセル型医療装置１の外径寸法を小さくすることも可能となる。また、金属製ケースを備えていたボタン電池と比較すると、軽量化を図ることもできる。
【００１７】
次に、本発明の第２の実施形態に係るカプセル型医療装置１０について、図３を参照して以下に説明する。
本実施形態の説明において、上述した第１の実施形態に係るカプセル型医療装置１と構成を共通とする箇所には同一符号を付して説明を省略する。
【００１８】
本実施形態に係るカプセル型医療装置１０は、第１の実施形態のカプセル本体２に代えて、バッテリ１１と後端キャップ１２とにより円筒状のカプセル本体１３を構成している。
バッテリ１１は、リチウムポリマーセルバッテリを円筒状に丸めるとともに、第１の実施形態とは異なり、継ぎ目を連結して完全な円筒状に形成した円筒状部からなり、その外面に、図示しない絶縁および防水コーティングを施している。バッテリ１１は、外部端子１１ａと、先端キャップ５の嵌合部５ｂに嵌合する嵌合穴１１ｂおよび後端キャップ１２の嵌合穴１２ａに嵌合する嵌合部１１ｃとを備えている。後端キャップ１２は半球体状に形成されている。
【００１９】
このように構成された本実施形態に係るカプセル型医療装置１０を組み立てるには、図３（ａ）に示されるように、回路ユニット３、先端キャップ５、バッテリ１１および後端キャップ１２を用意し、同図（ｂ）に示されるように、先端キャップ５の嵌合部５ａに回路ユニット３を嵌合させて、接触部Ａを接着剤により固定する。
【００２０】
次いで、図３（ｃ）に示されるように、円筒状に形成したバッテリ１１を回路ユニット３の周囲に嵌め込むように配置し、その嵌合穴１１ｂに先端キャップ５の嵌合部５ｂを嵌合させる。このとき、バッテリ１１の後端と回路ユニット３の後端とがほぼ一致する位置に配置されるので、図３（ｄ）に示されるように、バッテリ１１に設けられた外部端子１１ａを折り曲げて、回路ユニット３の基板６ｂに設けられたランドにハンダ付け等により接合する。
【００２１】
その後、図３（ｅ）に示されるように、バッテリ１１の後部に半球体状の後端キャップ１２を嵌め込んで、嵌合部１１ｃと嵌合穴１２ａとの接触部Ｂを接着剤により接着する。これにより、本実施形態に係るカプセル型医療装置１０が構成される。
【００２２】
このように構成された本実施形態に係るカプセル型医療装置１０によれば、バッテリ１１によりカプセル本体１３の一部を構成するので、第１の実施形態が、カプセル本体２とバッテリ４とを２重管状に配置していたのと比較すると、カプセル型医療装置１０の外径寸法をさらに低減することができるという利点がある。細径化および小型化により、患者の飲み込み易さを向上することができる。また、バッテリ４とは別にカプセル本体２を設けていたのと比較すると、軽量化を図ることができるという利点もある。
【００２３】
なお、上記各実施形態においては、バッテリ４，１１をリチウムポリマーセルバッテリにより構成し、円筒状に形成することで、カプセル本体２，１３内の空間を有効利用することとしたが、これに代えて、回路ユニット３等が配されていない空間にリチウムポリマーセルバッテリを折り畳んで収容することとしてもよい。例えば、無線送受信装置９を備えない場合、後端側の半球状の空間はデッドスペースとなるので、折り畳んだ状態でこの空間を埋めるような形態のリチウムポリマーセルバッテリを採用してもよい。このようにすることで、カプセル本体２，１３内の実装効率を高め、カプセル型医療装置１，１０をさらに小型化することが可能となる。
【図面の簡単な説明】
【００２４】
【図１】本発明の第１の実施形態に係るカプセル型医療装置を示す分解斜視図である。
【図２】図１のカプセル型医療装置の組立手順を説明する説明図である。
【図３】本発明の第２の実施形態に係るカプセル型医療装置の組立手順を説明する説明図である。
【符号の説明】
【００２５】
１，１０  カプセル型医療装置
２，１３  カプセル本体
４，１１  バッテリ
１２  後端キャップ（端部）
【図１】
2007181516.tif 000003
【図２】
2007181516.tif 000004
【図３】
2007181516.tif 000005